(57)【要約】【課題】簡素な装置で多大な経費を掛けることなく簡単にかつ正確にテープ部材を貼着体に貼着する。【解決手段】複数個の吸引孔３１がキャリアプレート９のシール材貼着箇所に対応するように貫通形成された載置治具２１を用意する。各吸引孔３１に真空を作用させながらシール材１９の一側面と反対側の側面で各吸引孔３１を覆うようにシール材１９を載置治具２１に載置して吸引位置決めする。キャリアプレート９をシール材貼着箇所が吸引位置決めされたシール材１９に対応するように載置治具２１にセットしてシール材１９に押し付けることにより、シール材１９をキャリアプレート９に貼着する。【選択図】図１
2007314319.tif 000002
【特許請求の範囲】
【請求項１】
少なくとも一側面に貼着性を有する可撓性の板状テープ部材を貼着体に貼着するテープ部材の貼着方法であって、
複数個の吸引孔が貼着体のテープ部材貼着箇所に対応するように貫通形成された載置治具を用意し、
次いで、上記各吸引孔に真空を作用させながらテープ部材の上記一側面と反対側の側面で各吸引孔を覆うようにテープ部材を載置治具に載置して吸引位置決めし、
その後、貼着体をテープ部材貼着箇所が上記吸引位置決めされたテープ部材に対応するように上記載置治具にセットしてテープ部材に押し付けることにより、テープ部材を貼着体に貼着することを特徴とするテープ部材の貼着方法。
【請求項２】
請求項１に記載のテープ部材の貼着方法において、
載置治具のテープ部材載置箇所から内側には、移動規制部材がセットされ、
テープ部材を上記載置治具に載置して吸引位置決めする際、上記テープ部材をテープ部材載置箇所から内側に移動しないように上記移動規制部材により移動規制することを特徴とするテープ部材の貼着方法。
【請求項３】
請求項２に記載のテープ部材の貼着方法において、
載置治具のテープ部材載置箇所から内側寄りに外れた箇所にも、複数個の内側吸引孔が貫通形成され、
移動規制部材の外周縁部には、上記各内側吸引孔を上記テープ部材の内端部側に開放する面取り部が形成され、
テープ部材を上記載置治具に載置して吸引位置決めする際、上記各内側吸引孔にも真空を作用させて上記テープ部材を移動規制部材側に吸引して該テープ部材がテープ部材載置箇所から外側に移動しないようにすることを特徴とするテープ部材の貼着方法。
【発明の詳細な説明】
【技術分野】
【０００１】
この発明は、少なくとも一側面に貼着性を有する可撓性の板状テープ部材を貼着体に貼着するテープ部材の貼着方法に関するものである。
【背景技術】
【０００２】
特許文献１には、一側面に剥離紙が剥離可能に貼着されたテープ部材をリールから引き出して該テープ部材に切り込みを入れてテープ片を形成した後、該テープ片を上記剥離紙から剥離しながら貼着体に貼着する一連の作業をＣＰＵ等の制御装置により制御するようにしたテープ部材の貼着方法が開示されている。
【特許文献１】特開２００４−１１５１５３号公報（段落００３５〜００５４欄、図１）
【発明の開示】
【発明が解決しようとする課題】
【０００３】
しかし、上記の特許文献１による貼着方法では、制御装置により制御される装置が各作業工程毎に必要で貼着装置全体の構造が大掛かりとなり、かつ複雑な制御系も必要で経費が嵩む。
【０００４】
この発明はかかる点に鑑みてなされたものであり、その目的とするところは、簡素な装置で多大な経費を掛けることなく簡単にかつ正確にテープ部材を貼着体に貼着することである。
【課題を解決するための手段】
【０００５】
上記の目的を達成するため、この発明は、テープ部材を真空引きにより吸引位置決めして貼着体に貼着することを特徴とする。
【０００６】
具体的には、この発明は、少なくとも一側面に貼着性を有する可撓性の板状テープ部材を貼着体に貼着するテープ部材の貼着方法を対象とし、次のような解決手段を講じた。
【０００７】
すなわち、請求項１に記載の発明は、複数個の吸引孔が貼着体のテープ部材貼着箇所に対応するように貫通形成された載置治具を用意し、次いで、上記各吸引孔に真空を作用させながらテープ部材の上記一側面と反対側の側面で各吸引孔を覆うようにテープ部材を載置治具に載置して吸引位置決めし、その後、貼着体をテープ部材貼着箇所が上記吸引位置決めされたテープ部材に対応するように上記載置治具にセットしてテープ部材に押し付けることにより、テープ部材を貼着体に貼着することを特徴とする。
【０００８】
請求項２に記載の発明は、請求項１に記載の発明において、載置治具のテープ部材載置箇所から内側には、移動規制部材がセットされ、テープ部材を上記載置治具に載置して吸引位置決めする際、上記テープ部材をテープ部材載置箇所から内側に移動しないように上記移動規制部材により移動規制することを特徴とする。
【０００９】
請求項３に記載の発明は、請求項２に記載の発明において、載置治具のテープ部材載置箇所から内側寄りに外れた箇所にも、複数個の内側吸引孔が貫通形成され、移動規制部材の外周縁部には、上記各内側吸引孔を上記テープ部材の内端部側に開放する面取り部が形成され、テープ部材を上記載置治具に載置して吸引位置決めする際、上記各内側吸引孔にも真空を作用させて上記テープ部材を移動規制部材側に吸引して該テープ部材がテープ部材載置箇所から外側に移動しないようにすることを特徴とする。
【発明の効果】
【００１０】
請求項１に係る発明によれば、各吸引孔に真空を作用させながらテープ部材を載置治具に載置して吸引位置決めするので、テープ部材を載置治具のテープ部材載置箇所に正確に載置することができる。さらに、テープ部材を真空の作用により載置治具に吸引位置決めした状態で、貼着体を上記載置治具にセットしてテープ部材に押し付けるだけで、簡単にかつ正確にテープ部材を貼着体に貼着することができる。また、複雑な制御系やこれにより制御される装置がいらず、装置の簡素化及び経費の低減化を図ることができる。
【００１１】
請求項２に係る発明によれば、載置治具に載置されたテープ部材がテープ部材載置箇所から内側に移動するのを移動規制部材により規制するので、テープ部材を載置治具のテープ部材載置箇所に確実に載置することができる。
【００１２】
請求項３に係る発明によれば、載置治具に載置されたテープ部材の内端部側に真空が作用して該テープ部材が移動規制部材の外周縁部に吸引されるので、上記テープ部材がテープ部材載置箇所から外側に移動するのを防止して、テープ部材をテープ部材載置箇所に確実に位置決めすることができる。
【発明を実施するための最良の形態】
【００１３】
以下、この発明の実施形態について図面に基づいて説明する。
【００１４】
（実施形態１）
図６は自動車のサイドドア１の断面図である。該サイドドア１はドアアウタパネル３とドアインナパネル５とからなる金属製のドア本体７を備え、該ドア本体７の上記ドアインナパネル５にパネル状の樹脂製キャリアプレート（ドアモジュールプレート）９がボルト１１及びウェルドナット１３により締結されて取り付けられ、樹脂製ドアトリム１５が上記キャリアプレート９を車室内側から被うように上記ドアインナパネル５に取り付けられている。上記キャリアプレート９のドアインナパネル５への取付箇所は外周縁部近傍であり、該外周縁部近傍には、図５にも示すように、ボルト挿通孔１７ａを有する円形ボス状の取付部１７が複数個間隔をあけて一体に突設され、該各取付部１７のボルト挿通孔１７ａに上記ボルト１１が挿通される。また、上記キャリアプレート９の外周縁部には、該キャリアプレート９を貼着体として可撓性の板状テープ部材としてのシール材（例えば、可撓性及び弾性を有するポリウレタン系発泡軟質材製のもの）１９が貼着され、上記ドアインナパネル５とキャリアプレート９との間を上記シール材１９でシールしている。つまり、この発明の実施形態１では、上記シール材１９をキャリアプレート９に貼着する方法を対象としている。なお、上記キャリアプレート９の上下方向ほぼ中央には、貼着時にキャリアプレート９をシール材１９に位置決めするための３個の位置決め孔９ａが車体前後方向に離間して貫通形成されている。
【００１５】
次に、上記シール材１９をキャリアプレート９に貼着する要領について説明する。
【００１６】
貼着作業に先立ち、載置治具２１、移動規制部材２３及び吸引ボックス２７からなる貼着装置２５を用意する。
【００１７】
上記載置治具２１は、図３に示すように、平面視矩形板状に形成され、該載置治具２１上面の外周縁部寄りには環状凸条部２９がキャリアプレート９のシール材貼着箇所に対応するように一体に突設されている。この環状凸条部２９には突出方向に複数個の吸引孔３１が全周に亘って１列に貫通形成され、これら吸引孔３１の外側には段上げ部３３が形成されている。また、上記載置治具２１上面の環状凸条部２９内側には、３個の位置決め凸部３５が上記キャリアプレート９の位置決め孔９ａに対応するように一体に突設されている。
【００１８】
一方、上記移動規制部材２３は、図４に示すように、平面視略矩形板状に形成され、該移動規制部材２３上面には２個の把持部３７が間隔をあけて形成されているとともに、両把持部３７間には３個の挿入孔３９が上記載置治具２１の位置決め凸部３５に対応するように貫通形成され、該各挿入孔３９に位置決め凸部３５を挿入することで移動規制部材２３が載置治具２１に位置決めされ、該移動規制部材２３の外周縁部が載置治具２１の環状凸条部２９の吸引孔３１内寄りに支持されるようになっている（図１及び図２参照）。
【００１９】
また、上記吸引ボックス２７は、図１に示すように、上方が開放された矩形箱型であり、該吸引ボックス２７の一側面には真空ポンプ４１が真空配管４３により接続され、該真空配管４３には開閉弁４５が介設されている。
【００２０】
まず、図１（ａ）に示すように、載置治具２１を吸引ボックス２７に載せて図示しないクランプ治具で固定し、吸引ボックス２７内に真空室４７を形成した後、移動規制部材２３の各挿入孔３９に載置治具２１の各位置決め凸部３５を挿入する。これにより、貼着装置２５が組み付けられ、移動規制部材２３の外周縁部が載置治具２１の環状凸条部２９上面に支持され、かつ載置治具２１の段上げ部３３と移動規制部材２３の外周縁部との間に凹条溝部４９が形成され、該凹条溝部４９底面に各吸引孔３１が開口している。
【００２１】
次いで、開閉弁４５を開けて真空ポンプ４１を起動し、真空室４７に真空を導入して載置治具２１の各吸引孔３１に真空を作用させながら、図１（ｂ）に示すように、一側面（上面）に図示しない貼着材（接着剤）が塗布されて貼着性を有し、かつ剥離紙５１（図２参照）が上記貼着材を覆うように剥離可能に貼着された可撓性のシール材１９を剥離紙５１を上に向けて、つまりシール材１９の上記一側面と反対側の側面（下面）で各吸引孔３１を覆うように載置治具２１の凹条溝部４９に載置して吸引位置決めする。この際、上記シール材１９をシール材載置箇所から内側に移動しないように上記移動規制部材２３により移動規制でき、シール材１９を載置治具２１のシール材載置箇所に確実に載置することができる。また、上記各吸引孔３１に真空を作用させながらシール材１９を凹条溝部４９に載置するので、該凹条溝部４９に載置されたシール材１９は、真空作用により吸引され、当該凹条溝部４９から浮き上がり、波打ち状に載置されることがなく、これによりシール材１９をシール材１９の一側面と反対側の側面全面が凹条溝部４９に圧接された状態で正確（高精度）に載置することができる。さらに、上記シール材１９は、略上半部分が段上げ部３３から上方に突出しているとともに、略下半部分が段上げ部３３（凹条溝部４９）側面に当接乃至接近して段上げ部３３によってシール材１９がシール材載置箇所から外側に移動しないようになっている。
【００２２】
その後、図１（ｃ）に示すように、移動規制部材２３の把持部３７を手で把持して該移動規制部材２３を持ち上げて載置治具２１から取り外す。
【００２３】
しかる後、シール材１９から剥離紙５１を剥離し、図１（ｄ）に示すように、キャリアプレート９の車室外側面側を下に向けた状態で、キャリアプレート９をシール材貼着箇所が上記吸引位置決めされたシール材１９に対応するように載置治具２１にセットしてキャリアプレート９の各位置決め孔９ａに載置治具２１の各位置決め凸部３５を挿入し、この状態からキャリアプレート９を矢印Ｂのように上方からシール材１９に押し付けることにより、シール材１９をキャリアプレート９に貼着する。その後、真空ポンプ４１を停止して真空室４７を大気圧に戻し、シール材１９が貼着されたキャリアプレート９を載置治具２１から取り外す。
【００２４】
その後、シール材１９が貼着されたキャリアプレート９を上述のようにしてドア本体７のドアインナパネル５に組み付ける。
【００２５】
このように、各吸引孔３１に真空を作用させながらシール材１９を載置治具２１に載置して吸引位置決めするので、シール材１９を載置治具２１のシール材載置箇所に正確に載置することができる。さらに、シール材１９を真空引きにより載置治具２１に吸引位置決めした状態で、キャリアプレート９を上記載置治具２１にセットしてシール材１９に押し付けるだけで、簡単にかつ正確にシール材１９をキャリアプレート９に貼着することができる。また、複雑な制御系やこれにより制御される装置が不要で、これらに比べて簡素な装置である載置治具２１、移動規制部材２３及び吸引ボックス２７からなる貼着装置２５や、真空ポンプ４１等があればよく、経費を低減することができる。
【００２６】
（実施形態２）
図７は実施形態２における図２相当図である。この実施形態２では、載置治具２１のシール材載置箇所から内側寄りに外れた箇所にも、複数個の内側吸引孔５３が貫通形成されている。また、移動規制部材２３の外周縁部には、上記各内側吸引孔５３を上記シール材１９の内端部側に開放する面取り部５５が全周に亘って連続して、あるいは断続的に形成されている。
【００２７】
そして、シール材１９を上記載置治具２１に載置して吸引位置決めする際、上記各内側吸引孔５３にも真空室４７の真空を作用させて上記シール材１９を移動規制部材２３側に吸引して該シール材１９がシール材載置箇所から外側に移動しないようにしている。
【００２８】
そのほかは、実施形態１と同様であるので説明を省略する。
【００２９】
したがって、実施形態２では、実施形態１と同様の作用効果に加え、載置治具２１に載置されたシール材１９の内端部側に真空が作用して該シール材１９が移動規制部材２３の外周縁部に吸引され、上記シール材１９がシール材載置箇所から外側に移動するのを防止して、シール材１９がシール材載置箇所に確実に位置決めすることができる。
【００３０】
（実施形態３）
図８は実施形態３における図２相当図である。この実施形態３では、載置治具２１のシール材載置箇所（吸引孔３１形成箇所）に段下げ部５７がシール材載置箇所に沿って連続して、あるいは断続的に形成され、該段下げ部５７により全ての吸引孔３１が連結されているか、あるいは吸引孔３１が複数個ずつまとまって連結されている。
【００３１】
そして、シール材１９を上記載置治具２１に載置して吸引位置決めする際、上記各吸引孔５１から段下げ部５７に真空室４７の真空を作用させて上記シール材１９をシール材載置箇所から外側に移動しないように吸引するようにしている。
【００３２】
そのほかは、実施形態１と同様であるので説明を省略する。
【００３３】
したがって、実施形態３では、実施形態１と同様の作用効果に加え、載置治具２１に載置されたシール材１９に段下げ部５７から真空が広範囲に作用して該シール材１９が吸引されるので、少ない数の吸引孔３１でシール材１９がシール材載置箇所から移動するのを確実に防止することができる。
【００３４】
なお、上記の各実施形態では、載置治具２１の段上げ部３３と移動規制部材２３の外周縁部との間に凹条溝部４９を形成して該凹条溝部４９にシール材１９を載置したが、載置治具２１自体に凹条溝部４９を形成してもよく、この場合には、移動規制部材２３は不要となる。
【００３５】
また、上記の各実施形態では、移動規制部材２３を載置治具２１から取り外した後にキャリアプレート９を載置治具２１上のシール材１９に押し付けたが、シール材１９がセット状態で移動規制部材２３から上方に突出していれば、移動規制部材２３を載置治具２１に載置したままの状態でキャリアプレート９を載置治具２１上のシール材１９に押し付けてもよい。
【００３６】
さらに、上記の各実施形態では、位置決め孔９ａはキャリアプレート９の位置決め専用に形成したが、キャリアプレート９にサービスホールやウインドガラス昇降用モータを取り付けるモータ取付口等を位置決め孔としてもよい。
【００３７】
また、上記の各実施形態では、載置治具２１の各吸引孔３１への真空を吸引ボックス２７の真空室４７から導入するようにしたが、これに限定されることなく、他の真空導入構造であってもよい。例えば、載置治具２１の下面（裏面）に裏板を重合し、該裏板もしくは載置治具２１の重合面に、載置治具２１の各吸引孔３１に連通する溝部を形成し、該溝部に真空ポンプを連結した構造であってもよい。
【００３８】
さらに、上記の各実施形態では、キャリアプレート９に位置決め孔９ａを形成して該位置決め孔９ａに載置治具２１の位置決め凸部３５を挿入してキャリアプレート９を載置治具２１にセットするようにしたが、キャリアプレート９に位置決め凸部を形成して該位置決め凸部を載置治具２１に形成した凹部に挿入してキャリアプレート９を載置治具２１にセットするようにしてもよい。
【００３９】
さらにまた、上記の各実施形態では、シール材１９として一側面に貼着材（接着剤）が塗布さたものを用いたが、両側面に貼着材（接着剤）が塗布されたものを用いることもできる。この場合、キャリアプレート９に貼着される一側面と反対側の側面の剥離紙５１はドア本体７のドアインナパネル５にキャリアプレート９を取り付ける直前に剥離すればよい。
【００４０】
加えて、上記の各実施形態では、自動車のサイドドア１のキャリアプレート９にシール材（テープ部材）１９を貼着する場合を例示したが、例えば建材へのテープ部材の貼着等、他の産業分野で用いられるテープ部材の貼着に幅広く適用することができる。
【産業上の利用可能性】
【００４１】
この発明は、少なくとも一側面に貼着性を有する可撓性の板状テープ部材を貼着体に貼着するテープ部材の貼着方法として有用である。
【図面の簡単な説明】
【００４２】
【図１】実施形態１に係る貼着方法の工程図を示し、（ａ）は載置治具、移動規制部材及び吸引ボックスを組み付けた状態の工程図、（ｂ）はシール材を載置治具に吸引位置決めした状態の工程図、（ｃ）は移動規制部材を載置治具から取り外した状態の工程図、（ｄ）はキャリアプレートを載置治具にセットしてシール材に押し付けた状態の工程図である。
【図２】図１（ｂ）のＡ部拡大図である。
【図３】載置治具の平面図である。
【図４】移動規制部材の斜視図である。
【図５】キャリアプレートを車室外側から見た平面図である。
【図６】図５のVI−VI線に相当するサイドドアの断面図である。
【図７】実施形態２における図２相当図である。
【図８】実施形態３における図２相当図である。
【符号の説明】
【００４３】
９          キャリアプレート（貼着体）
１９        シール材（テープ部材）
２１        載置治具
２３        移動規制部材
３１        吸引孔
５３        内側吸引孔
４７        真空室
５５        面取り部
【図１】
2007314319.tif 000003
【図２】
2007314319.tif 000004
【図３】
2007314319.tif 000005
【図４】
2007314319.tif 000006
【図５】
2007314319.tif 000007
【図６】
2007314319.tif 000008
【図７】
2007314319.tif 000009
【図８】
2007314319.tif 000010